(57)【要約】【課題】コンパクトなホースリールを提供する。【解決手段】ホースリール１０は、ケーシング１２と、ケーシングの内部に回転可能に保持されたドラム１４と、ドラムに巻き付け可能であるホース１６と、ホースに接続されたグリップ２０及びバレル２２を有する散水ガン１８とを備える。ケーシング１２は、その外部から散水ガン１８のバレル２２を受け入れ、散水ガンを保持する保持部２４を有する。【選択図】図１
0003211372.tif 000002
【実用新案登録請求の範囲】
【請求項１】
ケーシングと、
前記ケーシングの内部に回転可能に保持されたドラムと、該ドラムに巻き付け可能であるホースと、
前記ホースに接続されたグリップ及びバレルを有する散水ガンとを備え、
前記ケーシングは、その外部から前記散水ガンのバレルを受け入れ、前記散水ガンを保持する保持部を有するホースリール。
【請求項２】
前記保持部は前記散水ガンのバレルを受け入れる穴を有する請求項１に記載のホースリール。
【請求項３】
前記穴は前記散水ガンのバレルの遊動を許す大きさを有する請求項２に記載のホースリール。
【請求項４】
前記散水ガンのバレルは、前記グリップに連なる基部とノズルが設けられた先端部とを有し、前記基部及び先端部において前記穴の周縁に当接可能である請求項２又は３に記載のホースリール。
【請求項５】
前記ケーシングは互いに相対する頂部及び底部と、互いに相対する前部及び後部と、互いに相対する２つの側部とを有し、
前記ドラムは前記ケーシングの２つの側部において回転可能に支持され、
前記保持部の穴は前記ケーシングの頂部及び前部の境界領域に設けられている請求項２に記載のホースリール。
【請求項６】
前記保持部の穴は前記ケーシングの頂部及び底部と平行に伸びる請求項２〜５のいずれか１項に記載のホースリール。
【請求項７】
前記境界領域は前記頂部から前記前部に向けて円弧状に湾曲して伸びている請求項５に記載のホースリール。
【請求項８】
前記散水ガンはそのグリップに軸を介して該軸の周りに揺動可能に取り付けられた水量調節レバーを備え、
前記水量調節レバーは、人差し指が添えられる部分である指掛け部と、中指、薬指及び小指が添えられるように長さを延長させた部分である延長部とを有する請求項１に記載のホースリール。
【請求項９】
前記ケーシングは、その頂部とその後部とに設けられ互いに近接する２つの穴間を伸びる持ち手を有する請求項５に記載のホースリール。
【請求項１０】
前記ケーシングは、その底部に設けられた水抜き用の穴を有する請求項５に記載のホースリール。
【考案の詳細な説明】
【技術分野】
【０００１】
本実施の形態は、散水用のホースリールに関する。
【背景技術】
【０００２】
従来、ケーシングと、ケーシング内に回転可能に保持されたドラムと、ドラムに巻き付け可能であるホースと、ホースに接続された散水ガンとを備えるホースリールが知られている。ケーシングはその内部に散水ガンの収納スペースを有し、ケーシング内への散水ガンの収納が可能とされている。
【先行技術文献】
【特許文献】
【０００３】
【特許文献１】特開２００５−１０４６４４号公報
【特許文献２】実用新案登録第３１７３８７３号公報
【考案の概要】
【考案が解決しようとする課題】
【０００４】
ところで、ホースリールはその取扱いや運搬、保管のし易さ等の観点から、コンパクトであることすなわち全体的に小型でまとまりのある形態を有することが望ましい。従来のホースリールは、散水ガンがケーシングの内部に納められるため、全体的にまとまりのある形態を有する。しかし、ケーシングの内部に散水ガンの収納スペースを設けたためにケーシングの体積又は大きさが増大し、このことがホースリールの小型化の妨げとなっている。
【０００５】
本実施の形態は、コンパクトなホースリールを提供する。
【課題を解決するための手段】
【０００６】
本実施の形態の一態様によれば、ホースリールは、ケーシングと、該ケーシングの内部に回転可能に保持されたドラムと、該ドラムに巻き付け可能であるホースと、該ホースに接続されたグリップ及びバレルを有する散水ガンとを備える。前記ケーシングは、その外部から前記散水ガンのバレルを受け入れ、前記散水ガンを保持する保持部を有する。
【考案の効果】
【０００７】
本実施の形態によれば、コンパクトなホースリールを提供することができる。
【図面の簡単な説明】
【０００８】
【図１】実施の形態に係るホースリールの斜視図。
【図２】実施の形態に係るホースリールの正面図。
【図３】実施の形態に係るホースリールの平面図。
【図４】実施の形態に係るホースリールを構成するケーシングの斜視図。
【図５】図３の線５−５に沿って得た概略的な断面図。
【図６】実施の形態に係るホースリールを構成するドラムの正面図。
【図７】ホースを除いて示す実施の形態に係るホースリールの底面図。
【図８】接続具を介して互いに接続された２つのホースのジョイント部材の正面図。
【図９】実施の形態に係るホースリールを構成する、水量調節レバーが把持されていないときの状態にある散水ガンの側面図。
【図１０】実施の形態に係るホースリールを構成する、水量調節レバーが把持されたときの状態にある散水ガンの側面図。
【考案を実施するための形態】
【０００９】
図面を参照して、実施の形態を説明する。以下の図面の記載において、同一又は類似の部分には同一又は類似の符号を付している。
【００１０】
また、以下に示す実施の形態は、技術的思想を具体化するための装置や方法を例示するものであって、構成部品の材質、形状、構造、配置等を下記のものに特定するものでない。この実施の形態は、実用新案登録請求の範囲において、種々の変更を加えることができる。
【００１１】
（実施形態）
図1〜図３を参照すると、本実施の形態に係るホースリールが全体に符号１０で示されている。
【００１２】
ホースリール１０は、ケーシング１２と、該ケーシングの内部に回転可能に保持されたドラム１４と、該ドラムに巻き付け可能であるホース１６と、該ホースに接続された散水ガン１８とを備える。散水ガン１８は全体的に「く」の字形を呈し、グリップ２０及びバレル２２を有する。ケーシング１２は、その外部から散水ガン１８のバレル２２を受け入れ、散水ガン１８を保持する保持部２４を有する。
【００１３】
ケーシング１２は、ドラム１４と該ドラムに巻き付けられるホース１６との配置空間を規定する全体に扁平な直方体の形状を有する。図４に示すように、ケーシング１２は、互いに相対する頂部２８及び底部３０と、互いに相対する前部３２及び後部３４と、互いに相対する２つの側部３６、３８とを有する。ドラム１４は、ケーシング１２の両側部３６、３８間に配置されかつこれらの両側部３６、３８に回転可能に支持されている。ケーシング１２の頂部２８及び底部３０（並びに前部３２及び後部３４）と、両側部３６、３８とは、それぞれ、ドラム１４に巻かれるホース１６の許容巻厚と許容巻幅とを規定する。
【００１４】
ケーシング１２は、その前部３２に設けられ該前部の伸長方向(図４において上下方向)へ伸びる長円形状の開口４０を有する。開口４０を通して、ホース１６がケーシング１２の内部及び外部に伸びている（図１）。
【００１５】
ホース１６はその両端部においてそれぞれドラム１４及び散水ガン１８に接続され、ドラム１４に設けられた通水路（図示せず）及び散水ガン１８に設けられた通水路（図示せず）に連通している。また、ドラム１４には給水用のホース３９がジョイント部材６２を介してドラム１４に脱着可能に接続され、ホース３９を通してドラム１４の前記通水路に水道水が導入され、ホース１６を通して散水ガン１８の前記通水路に供給される。
【００１６】
ケーシング１２の保持部２４は、ケーシング１２の頂部２８と前部３２との境界及び該境界の近傍を含む領域である境界領域４２に設けられている。図示の例において、境界領域４２はケーシング１２の頂部２８から前部３２に向けて円弧状に湾曲して伸びている。保持部２４は散水ガン１８のバレル２２を受け入れるべく該バレルの挿通を許す穴４４を有する。穴４４はケーシング１２の境界領域４２を貫通し、ケーシング１２の頂部２８及び底部３０と平行に伸びている。穴４４は、図示の例に代えて、非貫通の穴すなわちケーシング１２の内部及び外部のうちの外部にのみ開放する穴とすることができる。
【００１７】
再び図１〜図３を参照すると、散水ガン１８は穴４４に挿通されバレル２２においてケーシング１２に保持される。このとき、散水ガン１８のグリップ２０はケーシング１２の前部３２と、該前部の一部を占める開口４０とに相対する状態におかれる。
【００１８】
散水ガン１８のバレル２２は、グリップ２０に連なる基部２２ａとノズル４１（図５参照）が設けられた先端部２２ｂとを有する（図４参照）。散水ガン１８は、バレル２２の先端部２２ｂに解除可能に取り付けられノズル４１を覆う網状のキャップ６６（図９参照）を有するものとすることができる。これによれば、ノズル４１から噴出された水を、キャップ６６を通して放射状に噴射することができる。他方、散水ガン１８のバレル２２を受け入れる穴４４は、バレル２２の基部２２ａ及び先端部２２ｂがそれぞれ当接可能である周縁４６を有する。図示の例において、穴４４の周縁４６は全体に楕円形状を呈し、穴４４内を互いに他の一方に向けて張り出す下縁部４６ａ及び上縁部４６ｂを有する。散水ガン１８がケーシング１２に保持されるとき、バレル２２はそのバレル２２の基部２２ａ及び先端部２２ｂにおいて周縁４６の下縁部４６ａ及び上縁部４６ｂにそれぞれ当接し、穴４４（より正確には穴４４の軸線）と平行に伸びる。
【００１９】
散水ガン１８のバレル２２を受け入れる穴４４は、また、バレル２２の遊動を許す大きさを有する。このことから、穴４４内において、バレル２２を穴４４の軸線と平行に伸びる向きから前記軸線と交差する向きへと変え、これによりバレル２２の先端部２２ｂをドラム１４の周りに巻き付けられたホース１６に向けることができる。バレル２２の向きを変化させ、バレル２２の先端部２２ｂのノズル４１から水を噴出させることにより、ドラム１４に巻かれたホース１６に水を当て、ケーシング１２内においてホース１６の洗浄を行うことができる。ケーシング１２には、その底部３０に水抜き用の穴５２（図４）が設けられており、穴５２を通して、ホース１６の洗浄に使用された水をケーシング１２の外部に排出することができる。
【００２０】
本実施形態にあっては、前記したように、散水ガン１８がケーシング１２にその外部において保持される。このため、ケーシング１２にはその内部に散水ガン１８を収納する場合に必要とされる収納空間が存在せず、ケーシング１２の容量を比較的小さいものとすることができる。また、散水ガン１８は、その一部であるバレル２２においてケーシング１２の保持部２４に受け入れられる。このため、ケーシング１２に対する散水ガン１８の保持の態様を比較的整然としたものとすることができる。これにより、全体的に小型でまとまりのあるコンパクトな形態を有するホースリール１０とすることができる。
【００２１】
ケーシング１２には、また、ホースリール１０の持ち運びの便宜のための持ち手５０が形成されている。持ち手５０は、ケーシング１２の頂部２８及び後部３４に設けられ互いに近接する２つの穴５４、５６間を伸びている。持ち手５０は、一方の穴５６から他方の穴５４に向けて手指を差し入れることにより把持することができる。持ち手５０をケーシング１２の一部で構成することにより、例えばケーシング１２の頂部２８に持ち手となる取手を設ける場合と比べて、ホースリール１０をよりコンパクトにすることができる。
【００２２】
図６に示すように、ドラム１４は、ホース１６が巻き付けられる胴部１４ａと、該胴部の両端に固定され互いに相対する一対のフランジ部１４ｂとを有する。両フランジ部１４ｂはこれらの間にホース１６の巻き付け空間を規定する。ドラム１４は、ケーシング１２の一方の側部３６に回転可能に支持されかつドラム１４の胴部１４ａの一端部に固定された円板５８を回転させることにより回転操作することができる。円板５８にはこれを回転操作するための取手６０が取り付けられている。
【００２３】
ドラム１４に設けられた前記通水路は、胴部１４ａのもう一方の端部である他端部及び胴部１４ａの周面部においてそれぞれ開放している。給水用のホース３９とホース１６とは、それぞれ、ドラム１４にその胴部１４ａの他端部及び周面部において接続され、前記通水路に連通している。ドラム１４に対する給水用のホース３９及びホース１６の接続は、それぞれ、ホース３９側に設けられる従来公知のジョイント部材６２及びケーシング１２側に設けられる他のジョイント部材６３を介して行うことができる。
【００２４】
また、散水ガン１８の前記通水路は、グリップ２０の先端部２０ａ（図６）において外部に開放し、また、バレル２２の前記ノズル４１に連なっている。ホース１６は、従来公知のジョイント部材６４を介して散水ガン１８のグリップ２０の先端部２０ａに接続することができる。
【００２５】
なお、ホースリール１０の使用後、散水ガン１８からホース１６を取り外し、また、給水用のホース３９をドラム１４から取り外した後、給水用のホース３９をホース１６に接続し、ホース１６と共に、ドラム１４の周囲に巻き付けることができる。図示の例では、ケーシング１２の底部３０に、給水用のホース３９とホース１６との接続に供される接続具６７(図７及び図８参照)のための収納部４８が設けられている。
【００２６】
図示の接続具６７は全体に截頭山形の形状、すなわち山形の尖端を切除してこれを平坦な頭部にしてなる形状を規定する２つの端部６７ａとこれらの端部６７ａ間にあって両端部６７ａに連なる中間部６７ｂとを有する。接続具６７の両端部６７ａは、それぞれ、ホース１６に接続されたジョイント部材６４と給水用のホース３９に接続されたジョイント部材６２とに差し込み可能である（図８参照）。他方、接続具６７の収納部４８は、接続具６７を受け入れ可能である、ケーシング１２の外部に開放するドーム状の空間を有し、また、前記ドーム状の空間に設けられた弾性変形可能の２つの爪４８ａ及び１つの爪４８ｂ（図８）を有する。接続具６７は、その両端部６７ａ及び中間部６７ｂにおいて、それぞれ、２つの爪４８ａ及び１つの爪４８ｂに解除可能に係止されている。
【００２７】
図９に示すように、散水ガン１８は、そのグリップ２０に軸６８を介して取り付けられ軸６８の周りに揺動可能である板状の水量調節レバー７０を備える。水量調節レバー７０には、図上、反時計方向へのばね力が付されている。水量調節レバー７０は、グリップ２０と水量調節レバー７０とを手指で握ることにより、前記ばね力に抗してグリップ２０に向けて時計方向へ揺動させることができる。このとき、水量調節レバー７０の一部７１が、グリップ２０に設けられたスリット（図示せず）を通してグリップ２０の内部に受け入れられる（図１０参照）。その結果、前記通水路を流れる水道水の流量が零から最大の設定値までの間で連続的に調節される。
【００２８】
水量調節レバー７０は手の人差し指、中指、薬指及び小指を添えることが可能である長さ寸法を有する。より詳細には、水量調節レバー７０は、人差し指が添えられる部分（指掛け部）７０ａと、中指、薬指及び小指が添えられるように長さを延長させた部分（延長部）７０ｂとを有する。これによれば、手の親指と残りの４つの指とでそれぞれグリップ２０と水量調節レバー７０とを握ることができ、これにより、水量調節レバー７０による水量調節を容易にまた微細に行うことができる。
【００２９】
図示の例においては、水量調節レバー７０の一部７１に切り欠き７１ａが設けられている。切り欠き７１ａは延長部７０ｂの先端部分の近傍に位置する。切り欠き７１ａを設けることにより、延長部７０ｂと、グリップ２０及びジョイント部材６４との間に、水量調節レバー７０の揺動を許す空間が確保されている。
【００３０】
図示の例においては、また、グリップ２０に枢着されたブラケット７２が、グリップ２０に向けて最大に揺動された水量調節レバー７０の先端部に解除可能に掛けられ、水量調節レバー７０の反時計方向への揺動が制止されている（図１０参照）。この時、水量調節レバー７０の延長部７０ｂの先端部は、グリップの先端部２０ａよりジョイント部材６４側に位置する。この構成によって散水ガン１８のサイズがコンパクトになることでグリップ２０の長さが短くなっても、水量調節レバー７０のサイズを確保できるため、手でしっかりと保持できるようになり、細かな水量調節が可能となる。
【００３１】
（その他の実施形態）
上記のように、実施の形態によって記載したが、この開示の一部なす論述及び図面は例示的なものであり、これに限定するものであると理解すべきでない。この開示から当業者には様々な代替実施の形態、実施例及び運用技術が明らかとなろう。
【００３２】
このように、本実施の形態はここでは記載していない様々な実施の形態などを含む。
【産業上の利用可能性】
【００３３】
本実施の形態のホースリールは、庭や植物への散水、洗車等に適用可能である。
【符号の説明】
【００３４】
１０…ホースリール
１２…ケーシング
１４…ドラム
１６…ホース
１８…散水ガン
２０…グリップ
２２…バレル
２４…保持部
４２…境界領域
４４…穴
４６…穴の周縁
４８…収納部
７０…水量調節レバー
【図１】
0003211372.tif 000003
【図２】
0003211372.tif 000004
【図３】
0003211372.tif 000005
【図４】
0003211372.tif 000006
【図５】
0003211372.tif 000007
【図６】
0003211372.tif 000008
【図７】
0003211372.tif 000009
【図８】
0003211372.tif 000010
【図９】
0003211372.tif 000011
【図１０】
0003211372.tif 000012